【手続補正書】
【提出日】平成30年11月19日(2018.11.19)
【手続補正１】
【補正対象書類名】特許請求の範囲
【補正対象項目名】全文
【補正方法】変更
【補正の内容】
【特許請求の範囲】
【請求項１】
通信端末と、第１の無線通信方式により前記通信端末と直接接続することが可能な印刷装置とによる通信方法であって、
前記通信端末が、Ｗｅｂサーバに保存されている複数の画像から印刷対象の画像を選択するための画面を前記通信端末の表示部に表示するための処理を実行する表示制御工程と、
前記通信端末が、前記表示制御工程における前記処理により表示された画面においてユーザにより選択された画像を、前記Ｗｅｂサーバからダウンロードするダウンロード工程と、
前記通信端末が、前記印刷装置との間の第２の無線通信方式に従った無線通信を用いて、前記印刷装置と前記第１の無線通信方式により直接接続するための接続情報を前記印刷装置から取得する取得工程と、
前記印刷装置が、前記通信端末との間の前記第２の無線通信方式に従った無線通信に基づいて、前記通信端末との前記第１の無線通信方式による直接接続が可能な所定の状態に移行する移行工程と、
前記通信端末が、前記取得工程において取得された前記接続情報を用いて、前記移行工程において前記所定の状態に移行した前記印刷装置との前記第１の無線通信方式による直接接続を確立する確立工程と、
前記通信端末が、前記ダウンロード工程においてダウンロードした画像を、前記確立工程において確立された直接接続により前記印刷装置に送信する送信工程と、
前記印刷装置が、前記送信工程において前記通信端末から送信された画像を印刷する印刷工程と、を含むことを特徴とする通信方法。
【請求項２】
前記移行工程では、前記印刷装置が、前記通信端末との間の前記第２の無線通信方式に従った無線通信に応じて前記所定の状態に移行することを特徴とする請求項１に記載の通信方法。
【請求項３】
前記移行工程では、前記通信端末による処理により、前記印刷装置が前記所定の状態に移行することを特徴とする請求項１に記載の通信方法。
【請求項４】
前記通信端末が、前記印刷装置が前記所定の状態であるか判断する判断工程をさらに含み、
前記移行工程において前記通信端末は、前記判断工程において前記印刷装置が前記所定の状態にはないと判断された場合に、前記通信端末を前記所定の状態に移行させることを特徴とする請求項３に記載の通信方法。
【請求項５】
前記通信端末は、前記移行工程において前記印刷装置を前記所定の状態に移行させた後、前記確立工程において前記印刷装置との前記第１の無線通信方式による直接接続を確立することを特徴とする請求項４に記載の通信方法。
【請求項６】
前記取得工程における、前記通信端末と前記印刷装置との間の第２の無線通信方式に従った無線通信の前に、前記印刷装置が既に前記所定の状態であった場合、前記移行工程における移行は行われないことを特徴とする請求項１乃至５のいずれか１項に記載の通信方法。
【請求項７】
前記送信工程において前記画像が送信された後に、前記印刷装置が前記所定の状態を終了する終了工程をさらに含むことを特徴とする請求項１乃至６のいずれか１項に記載の通信方法。
【請求項８】
前記終了工程では、前記印刷工程における印刷が完了したことに基づいて、前記印刷装置が前記所定の状態を終了することを特徴とする請求項７に記載の通信方法。
【請求項９】
前記終了工程では、前記通信端末が、前記印刷装置に前記所定の状態を終了させることを特徴とする請求項７又は８に記載の通信方法。
【請求項１０】
前記取得工程における、前記通信端末と前記印刷装置との間の第２の無線通信方式に従った無線通信の前に、前記印刷装置が既に前記所定の状態であった場合、前記終了工程において前記所定の状態は終了しないことを特徴とする請求項７乃至９のいずれか１項に記載の通信方法。
【請求項１１】
前記移行工程では、前記印刷装置が、前記第１の無線通信方式による直接接続のための設定を変更することで、前記所定の状態に移行することを特徴とする請求項１乃至１０のいずれか１項に記載の通信方法。
【請求項１２】
前記送信工程において前記画像が送信された後に、前記確立工程において確立された通信を解除する解除工程をさらに含むことを特徴とする請求項１乃至１１のいずれか１項に記載の通信方法。
【請求項１３】
前記解除工程では、前記印刷工程における印刷の完了後に、前記確立工程において確立された通信を解除することを特徴とする請求項１２に記載の通信方法。
【請求項１４】
前記確立工程では、前記ダウンロード工程において前記画像がダウンロードされた後に、前記接続情報を用いて前記印刷装置と前記第１の無線通信方式による直接接続を確立することを特徴とする請求項１乃至１３のいずれか１項に記載の通信方法。
【請求項１５】
前記ダウンロード工程では、前記第１の無線通信方式を用いることで、前記画像をダウンロードすることを特徴とする請求項１４に記載の通信方法。
【請求項１６】
前記通信端末は、前記第１の無線通信方式により前記印刷装置との直接接続が確立している場合に、前記Ｗｅｂサーバとの通信ができず、
前記確立工程では、前記ダウンロード工程における前記第１の無線通信方式による前記画像のダウンロードのための通信処理の終了を待ってから、前記接続情報を用いて、前記第１の無線通信方式による前記印刷装置との直接接続を確立することを特徴とする請求項１５に記載の通信方法。
【請求項１７】
前記第１の無線通信方式は、ＮＦＣであることを特徴とする請求項１乃至１６のいずれか１項に記載の通信方法。
【請求項１８】
前記第１の無線通信方式は、Ｂｌｕｅｔｏｏｔｈ（登録商標）であることを特徴とする請求項１乃至１６のいずれか１項に記載の通信方法。
【請求項１９】
前記第２の無線通信方式は、無線ＬＡＮであることを特徴とする請求項１乃至１８のいずれか１項に記載の通信方法。
【請求項２０】
通信端末と、第１の無線通信方式により前記通信端末と直接接続することが可能な印刷装置とを含む通信システムであって、
前記通信端末は、
Ｗｅｂサーバに保存されている複数の画像から印刷対象の画像を選択するための画面を前記通信端末の表示部に表示するための処理を実行する表示制御手段と、
前記表示制御手段による前記処理により表示された画面においてユーザにより選択された画像を、前記Ｗｅｂサーバからダウンロードするダウンロード手段と、
前記印刷装置との間の第２の無線通信方式に従った無線通信を用いて、前記印刷装置と前記第１の無線通信方式により直接接続するための接続情報を前記印刷装置から取得する取得手段と、
前記取得手段において取得された前記接続情報を用いて、前記印刷装置との前記第１の無線通信方式による直接接続を確立する確立手段と、
前記ダウンロード手段によりダウンロードした画像を、前記確立手段により確立された直接接続により前記印刷装置に送信する送信手段と、を有し、
前記印刷装置は、
前記通信端末との間の前記第２の無線通信方式に従った無線通信に基づいて、前記通信端末との前記第１の無線通信方式による直接接続が可能な所定の状態に移行する移行手段と、
前記送信手段により送信された画像を印刷する印刷手段と、を有し、
前記確立手段は、前記第２の無線通信方式に従った無線通信に基づいて前記移行手段により前記所定の状態となった前記印刷装置との直接接続を確立することを特徴とする通信システム。
【請求項２１】
第１の無線通信方式により印刷装置と直接接続する通信端末により実行されるプログラムであって、
Ｗｅｂサーバに保存されている複数の画像から印刷対象の画像を選択するための画面を前記通信端末の表示部に表示するための処理を実行する表示制御手段と、
前記表示制御手段による前記処理により表示された画面においてユーザにより選択された画像を、前記Ｗｅｂサーバからダウンロードするダウンロード手段と、
前記印刷装置との間の第２の無線通信方式に従った無線通信を用いて、前記印刷装置と前記第１の無線通信方式により直接接続するための接続情報を前記印刷装置から取得する取得手段と、
前記取得手段において取得された前記接続情報を用いて、前記印刷装置との前記第１の無線通信方式による直接接続を確立する確立手段と、
前記ダウンロード手段によりダウンロードした画像を、前記確立手段により確立された直接接続により前記印刷装置に送信する送信手段と、
として前記通信端末を機能させ、
前記印刷装置は、前記通信端末との間の前記第２の無線通信方式に従った無線通信に基づいて、前記通信端末との前記第１の無線通信方式による直接接続が可能な所定の状態に移行し、
前記確立手段は、前記第２の無線通信方式に従った無線通信に基づいて前記所定の状態となった前記印刷装置との直接接続を確立することを特徴とするプログラム。
【手続補正２】
【補正対象書類名】明細書
【補正対象項目名】発明の名称
【補正方法】変更
【補正の内容】
【発明の名称】通信方法、通信システム、及びプログラム
【手続補正３】
【補正対象書類名】明細書
【補正対象項目名】０００１
【補正方法】変更
【補正の内容】
【０００１】
本発明は通信方法、通信システム、及びプログラムに関し、特に、近距離無線通信を用いた通信方法に関する。
【手続補正４】
【補正対象書類名】明細書
【補正対象項目名】０００５
【補正方法】削除
【補正の内容】
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】変更
【補正の内容】
【０００７】
本発明は、通信端末がデータをＷｅｂサーバ装置から容易に取得して印刷装置に送信することができる通信方法、通信システム、及びプログラムを提供することを目的とする。
【手続補正７】
【補正対象書類名】明細書
【補正対象項目名】０００９
【補正方法】変更
【補正の内容】
【０００９】
即ち、通信端末と、第１の無線通信方式により前記通信端末と直接接続することが可能な印刷装置とによる通信方法であって、前記通信端末が、Ｗｅｂサーバに保存されている複数の画像から印刷対象の画像を選択するための画面を前記通信端末の表示部に表示するための処理を実行する表示制御工程と、前記通信端末が、前記表示制御工程における前記処理により表示された画面においてユーザにより選択された画像を、前記Ｗｅｂサーバからダウンロードするダウンロード工程と、前記通信端末が、前記印刷装置との間の第２の無線通信方式に従った無線通信を用いて、前記印刷装置と前記第１の無線通信方式により直接接続するための接続情報を前記印刷装置から取得する取得工程と、前記印刷装置が、前記通信端末との間の前記第２の無線通信方式に従った無線通信に基づいて、前記通信端末との前記第１の無線通信方式による直接接続が可能な所定の状態に移行する移行工程と、前記通信端末が、前記取得工程において取得された前記接続情報を用いて、前記移行工程において前記所定の状態に移行した前記印刷装置との前記第１の無線通信方式による直接接続を確立する確立工程と、前記通信端末が、前記ダウンロード工程においてダウンロードした画像を、前記確立工程において確立された直接接続により前記印刷装置に送信する送信工程と、前記印刷装置が、前記送信工程において前記通信端末から送信された画像を印刷する印刷工程と、を含むことを特徴とする。
【手続補正８】
【補正対象書類名】明細書
【補正対象項目名】００１０
【補正方法】変更
【補正の内容】
【００１０】
従って本発明によれば、Ｗｅｂサーバ装置から容易にデータを取得して印刷装置に送信することができるという効果がある。